(57)【要約】【課題】大型の粘着テープロールをワンタッチで着脱することができ、さらに支持ローラに設けられたストッパーの弾性片が着脱時に破損されない粘着式クリーナを提供する。【解決手段】粘着テープロール２を回転可能に支持する支持ローラ６の一端側に、弾性変形可能な少なくとも２つの弾性片６４１，６４１を有するストッパー６４を有し、ストッパー６４には各弾性片６４１の対向面に指を差し込むつまみ部７を備え、つまみ部７，７の間に弾性片６４１，６４１の変形量を規制する規制手段としての規制片８を設ける。【選択図】図１
2013158378.tif 000002
【特許請求の範囲】
【請求項１】
基材の一方の面にゴミ捕捉用の粘着面が形成された粘着テープを、その粘着面が外側を向くように円筒状に巻回してなる粘着テープロールと、上記粘着テープロールを回転可能に支持する支持ローラを有する清掃具本体とを備え、上記支持ローラは、上記粘着テープロールの内周面に沿って挿通可能な筒状を呈し、上記支持ローラの上記粘着テープロールが差し込まれる一端側には、上記支持ローラの一方の外周縁の一部から上記支持ローラの軸線方向に沿って突設され、弾性変形可能な少なくとも２つの弾性片と、上記各弾性片の自由端側から外径方向に向けて突設された係止爪とからなるストッパーを有し、上記各弾性片の自由端側を上記粘着テープロールの内径よりも内側に縮径させて上記係止爪による係着を解除するための解除手段を備える粘着式清掃具において、
上記各弾性片は、上記支持ローラの回転軸線を挟んで対称に配置されており、その対向面には、指を入れてつまむためのつまみ部が設けられており、対向する上記つまみ部の間には、上記弾性片同士を互いに近接させる際に、上記弾性片の変形量を規制する規制手段が設けられていることを特徴とする粘着式清掃具。
【請求項２】
上記規制手段は、上記各つまみ部の間に所定の間隔を持って配置された規制片からなり、上記各つまみ部と上記規制片との間の間隔をａ、上記係止爪の高さをｂとしたとき、ａ≧ｂであることを特徴とする請求項１に記載の粘着式清掃具。
【請求項３】
上記支持ローラの上記粘着テープロールが差し込まれる一端側にはさらに、上記粘着テープロールを上記支持ローラに沿って案内するため、上記粘着テープロールの内周面に沿って挿入されるガイドリブ設けられていることを特徴とする請求項１または２に記載の粘着式清掃具。
【請求項４】
上記粘着テープロールは、内径が４０ｍｍ以上の大型粘着テープロールであることを特徴とする請求項１，２または３に記載の粘着式清掃具。
【請求項５】
基材の一方の面にゴミ捕捉用の粘着面が形成された粘着テープを、その粘着面が外側を向くように円筒状に巻回してなる粘着テープロールと、上記粘着テープロールを回転可能に支持する支持ローラを有する清掃具本体とを備え、上記支持ローラは、上記粘着テープロールの内周面に沿って挿通可能な筒状を呈し、上記支持ローラの上記粘着テープロールが差し込まれる一端側には、上記支持ローラの一方の外周縁の一部から上記支持ローラの軸線方向に沿って突設され、弾性変形可能な少なくとも２つの弾性片と、上記各弾性片の自由端側から外径方向に向けて突設された係止爪とからなるストッパーを有し、上記各弾性片の自由端側を上記粘着テープロールの内径よりも内側に縮径させて上記係止爪による係着を解除するための解除手段を備える粘着式清掃具において、
上記各弾性片は、その先端同士が可撓性を有する連結板を介して連結されており、上記支持ローラの端部には、上記連結板を介して上記弾性片同士を互いに近接させる際に、上記弾性片の変形量を規制する規制手段が設けられていることを特徴とする粘着式清掃具。
【請求項６】
上記規制手段は、上記支持ローラの端部から上記回転軸線方向に沿って突設された凸部からなり、上記凸部と上記連結板とが所定の間隙をもって対向的に配置されていることを特徴とする請求項５に記載の粘着式清掃具。
【請求項７】
上記連結板には、上記連結板の一部を上記回転軸線方向に沿って押圧または引っ張る際に、指によって操作される操作板がさらに設けられていることを特徴とする請求項５または６に記載の粘着式清掃具。
【請求項８】
上記連結板には、上記連結板の一部を波形状に屈曲させるための屈曲板が設けられており、上記屈曲板には、指によって把持される把持板がさらに設けられていることを特徴とする請求項５または６に記載の粘着式清掃具。
【発明の詳細な説明】
【技術分野】
【０００１】
本発明は、粘着テープの粘着面が表側を向くように巻回された粘着テープロールを用いた粘着式クリーナに関し、さらに詳しく言えば、ワンタッチで粘着テープロールを清掃具本体から安全に取り外すことができる粘着式クリーナに関する。
【背景技術】
【０００２】
粘着式クリーナは、基材の一方の面にゴミ取り用の粘着面が形成された粘着テープを、その粘着面が表側を向くように巻回された粘着テープロールと、グリップの一端から伸びたシャフトに回転可能に軸支され、上記粘着テープロールを回転可能に軸支する支持ローラが設けられた清掃具本体とを備えている。
【０００３】
ところで、この種の粘着式クリーナーは、すべての粘着テープを使用すると、粘着テープロールのコア芯だけが支持ローラに残るようになっているため、コア芯を除去する必要がある。
【０００４】
そこで、特許文献１には、安全にコア芯を取り除くため、支持ローラの一端側に一対の弾性片からなるストッパを設けて、ストッパの弾性片を互いに内側に倒し込むことによって、係止爪がコア芯の係止を解除することで、コア芯をワンタッチで取り外すことができる粘着式クリーナーが開示されている。
【０００５】
ところで、特許文献１に記載された粘着式クリーナは、コア芯の内径が３８ミリの最も一般的なタイプである。このタイプは、コア芯が比較的に小径であるため、ストッパー同士を互いに内側に押し倒しても、つまみ部同士が互いに当接するため、ストッパーの弾性片が破壊するようなことがない。
【０００６】
しかしながら、コア芯の内径が３８ｍｍ以上ある業務用などの大型粘着テープロールの場合は、支持ローラの径も同様に大径となる。したがって、弾性片の間隔が大きいために、ストッパーの各弾性片同士を内側に勢いよく引き寄せすぎると、弾性片が根元から折れるおそれがあった。
【０００７】
また、これとは別に、大型粘着テープロールは、コア芯の径が大きいが故に、粘着テープロールを支持ローラに取り付ける際に、粘着テープロールの端部をスムーズに支持ローラに沿って案内しにくく、ワンタッチで取り付けることは難しかった。
【先行技術文献】
【特許文献】
【０００８】
【特許文献１】特開２０１１−８７６８４号公報
【発明の概要】
【発明が解決しようとする課題】
【０００９】
そこで、本発明は、大型の粘着テープロールをワンタッチで着脱することができ、さらに支持ローラに設けられたストッパーの弾性片が着脱時に破損されない粘着式クリーナを提供することにある。
【課題を解決するための手段】
【００１０】
本発明は、以下に示すいくつかの特徴を備えている。すなわち、第１の発明は、基材の一方の面にゴミ捕捉用の粘着面が形成された粘着テープを、その粘着面が外側を向くように円筒状に巻回してなる粘着テープロールと、上記粘着テープロールを回転可能に支持する支持ローラを有する清掃具本体とを備え、上記支持ローラは、上記粘着テープロールの内周面に沿って挿通可能な筒状を呈し、上記支持ローラの上記粘着テープロールが差し込まれる一端側には、上記支持ローラの一方の外周縁の一部から上記支持ローラの軸線方向に沿って突設され、弾性変形可能な少なくとも２つの弾性片と、上記各弾性片の自由端側から外径方向に向けて突設された係止爪とからなるストッパーを有し、上記各弾性片の自由端側を上記粘着テープロールの内径よりも内側に縮径させて上記係止爪による係着を解除するための解除手段を備える粘着式清掃具において、上記各弾性片は、上記支持ローラの回転軸線を挟んで対称に配置されており、その対向面には、指を入れてつまむためのつまみ部が設けられており、対向する上記つまみ部の間には、上記弾性片同士を互いに近接させる際に、上記弾性片の変形量を規制する規制手段が設けられていることを特徴としている。
【００１１】
第２の発明は、上記規制手段は、上記弾性片の背面側に所定の間隔をもって配置された規制片からなり、上記各弾性片と上記規制片との間の間隔をａ、上記係止爪の高さをｂとしたとき、ａ≧ｂであることを特徴としている。
【００１２】
第３の発明は、上記支持ローラの上記粘着テープロールが差し込まれる一端側にはさらに、上記粘着テープロールを上記支持ローラに沿って案内するため、上記粘着テープロールの内周面に沿って挿入されるガイドリブが設けられていることを特徴としている。
【００１３】
第４の発明は、上記粘着テープロールは、上記支持ローラに挿通される内径が４０ｍｍ以上の大型粘着テープロールであることを特徴としている。
【００１４】
本発明には、次のような態様も含まれる。すなわち、基材の一方の面にゴミ捕捉用の粘着面が形成された粘着テープを、その粘着面が外側を向くように円筒状に巻回してなる粘着テープロールと、上記粘着テープロールを回転可能に支持する支持ローラを有する清掃具本体とを備え、上記支持ローラは、上記粘着テープロールの内周面に沿って挿通可能な筒状を呈し、上記支持ローラの上記粘着テープロールが差し込まれる一端側には、上記支持ローラの一方の外周縁の一部から上記支持ローラの軸線方向に沿って突設され、弾性変形可能な少なくとも２つの弾性片と、上記各弾性片の自由端側から外径方向に向けて突設された係止爪とからなるストッパーを有し、上記各弾性片の自由端側を上記粘着テープロールの内径よりも内側に縮径させて上記係止爪による係着を解除するための解除手段を備える粘着式清掃具において、上記各弾性片は、その先端同士が可撓性を有する連結板を介して連結されており、上記支持ローラの端部には、上記連結板を介して上記弾性片同士を互いに近接させる際に、上記弾性片の変形量を規制する規制手段が設けられていることを特徴としている。
【００１５】
より好ましい態様として、上記規制手段は、上記支持ローラの端部から上記回転軸線方向に沿って突設された凸部からなり、上記凸部と上記連結板とが所定の間隙をもって対向的に配置されていることを特徴としている。
【００１６】
さらに好ましい態様として、上記連結板には、上記連結板の一部を上記回転軸線方向に沿って押圧または引っ張る際に、指によって操作される操作板がさらに設けられていることを特徴としている。
【００１７】
また別の態様として、上記連結板には、上記連結板の一部を波形状に屈曲させるための屈曲板が設けられており、上記屈曲板には、指によって把持される把持板がさらに設けられていることを特徴としている。
【発明の効果】
【００１８】
第１の発明によれば、弾性片の間に弾性片同士を互いに近接させる際に、弾性片の変形量を安全な範囲内で規制する規制手段が設けられていることにより、弾性片の変形量を予め設定しておくことができる。
【００１９】
第２の発明によれば、弾性片の背面側に規制手段としての規制片を設け、弾性片と規制片との間の間隔ａを係止爪の高さｂと同等もしくは大きく設定することにより、少なくとも係止爪のロックが可能な変形量を保つことができる。
【００２０】
第３の発明によれば、支持ローラの上記粘着テープロールが差し込まれる一端側に粘着テープロールを支持ローラに案内するためのガイドリブが設けられていることで、粘着テープロールを支持ローラに沿ってスムーズに差し込むことができる。
【００２１】
第４の発明によれば、粘着テープロールの内径が４０ｍｍ以上、より好ましくは７５ｍｍ以上の大型粘着テープロールであることにより、各弾性片の間隔が大きい大型の支持ローラを用いて、大型の粘着テープロールを安全に取り付け、取り外しすることができる。
【００２２】
第５の発明によれば、連結板を介して弾性片を変形させるタイプの清掃具であっても、規制手段を設けてあるので、連結片を変形させすぎて、弾性片が破壊されることを確実に防止することができる。
【００２３】
第６の発明によれば、規制手段として、支持ローラの端部から回転軸線方向に沿って突設された凸部と連結板とを所定の間隙をもって対向的に配置したことにより、連結板の移動量を規制し、弾性片が過剰に変形することを防止することができる。
【００２４】
第７の発明によれば、連結板の一部を指によって操作される操作板を設けたことにより、操作板を指で押圧するなり、摘んで引っ張ることにより、ワンタッチで粘着テープロールの着脱を行うことができる。
【００２５】
第８の発明によれば、連結板を波形状に屈曲させるための屈曲板を設け、屈曲板に指によって把持される把持板をさらに設けたことにより、把持板を摘んで手前に引っ張るだけで連結板をワンタッチで屈曲させて、粘着テープロールの着脱を行うことができる。
【図面の簡単な説明】
【００２６】
【図１】本発明の一実施形態に係る粘着式クリーナの正面図。
【図２】上記粘着式クリーナの支持ローラの斜視図。
【図３】（ａ）上記支持ローラの右側面図，（ｂ）弾性片の部分拡大断面図。
【図４】上記粘着式クリーナの使用状態を説明する説明図。
【図５】本発明の支持ローラの第１変形例を表す斜視図。
【図６】（ａ）上記第１変形例の支持ローラの部分拡大正面図および（ｂ）連結板を変形させた状態の部分拡大正面図。
【図７】本発明の支持ローラの第２変形例を表す斜視図。
【図８】（ａ）上記第２変形例の支持ローラの部分拡大正面図および（ｂ）連結板を変形させた状態の部分拡大正面図。
【図９】本発明の支持ローラの第３変形例を表す斜視図。
【図１０】（ａ）上記第４変形例の支持ローラの部分拡大正面図および（ｂ）連結板を変形させた状態の部分拡大正面図。
【発明を実施するための形態】
【００２７】
次ぎに、本発明の実施形態について図面を参照しながら説明するが、本発明はこれに限定されるものではない。
【００２８】
図１に示すように、本発明の粘着式クリーナ１は、粘着面が表側を向くようにロール状に巻回された粘着テープロール２を回転可能に支持する清掃具本体３を備えている。
【００２９】
この例において、粘着テープロール２は、図２に示すように、片方の面に粘着面が形成された粘着テープを、コア芯２１を中心にロール状に巻回したものからなる。本発明において、粘着テープロール２は、粘着面が表側を向くように巻回された清掃用粘着テープロールであって、内径が少なくとも４０ｍｍ以上、好ましくは７５ｍｍ以上の大きさを有する大型の粘着テープロール２である。
【００３０】
本発明の粘着テープロール２は、軸方向長さが２４０ｍｍであるが、軸方向長さについては仕様に応じて任意に変更されてよい。また、粘着材の材質や厚さ、粘着面のパターン形状、切断用切れ目の有無等については、任意に選択されてよい。
【００３１】
清掃具本体３は、手によって把持されるグリップ部４と、同グリップ部４の一端（図１では下端）に同軸的に連結されるシャフト部５と、シャフト部５の他端側に同軸的、かつ、回動可能に連結される支持ローラ６とを備えている。
【００３２】
グリップ部４は、合成樹脂製の成型品からなり、手で把持しやすいよう若干扁平な棒状に形成されている。この実施形態において、グリップ部４の上端側には、この粘着式クリーナ１を例えばフックなどの吊下具に吊り下げて保管するためのフック孔４１が設けられている。
【００３３】
この例において、グリップ部４は、合成樹脂製で断面が楕円形状のストレート棒体からなるが、金属製であってもよいし、形状はＴ字状やＬ字状などであってもよい。また、さらに手で把持しやすいように表面に凹凸や梨地処理などを施してもよく、グリップ部４の具体的な材質や形状は、仕様に応じて任意に変更されてよい。
【００３４】
図１に示すように、シャフト５は、一端側から他端側にかけて所定形状に折曲もしくは湾曲された金属棒からなる。シャフト５は、支持ローラ６を回動可能に軸支する軸支部５１と、軸支部５１から支持ローラ６の側面および上面中央に沿ってほぼＵ字状に折り曲げられた湾曲部５２と、湾曲部５２から折曲部５３を介してほぼ直角に折り曲げられ、グリップ部４に同軸的に接続されるステム５４とから構成されている。
【００３５】
この実施形態において、シャフト５は、金属棒を折り曲げもしくは湾曲して形成されているが、これ以外にプレス成形などで成型してもよい。また、シャフト５は金属製以外に樹脂製であってもよい。また、この実施形態において、シャフト５はＵ字状に折り曲げられるなどしているが、直線状であってもよいし、Ｌ字状などであってもよい。
【００３６】
図２および３を併せて参照して、支持ローラ６は、合成樹脂の成型品からなり、全体が粘着テープロール２の内周面に沿って挿通可能な筒状に形成されている。支持ローラ６は、粘着テープロール２の軸線方向に沿って平行に架け渡される一対の第１支持板６１ａ，６１ｂと、第１支持板６１ａ，６１ｂに対して直交するように形成される第２支持板６１ｃと、各支持板６１ａ〜６１ｃの端面を覆う端板６２ａ，６２ｂとを備えている。各支持板６１ａ〜６１ｃおよび端板６２ａ，６２ｂは、射出成形によって一体成形されている。
【００３７】
第１支持板６１ａ，６１ｂは、粘着テープロール２の軸線方向に沿って延在する梁部材であって、回転軸線を挟んで対称に配置されている。第２支持板６１ｃも同様に、粘着テープロール２の軸線方向に沿って延在する梁部材であって、回転軸線を挟んで第１支持板６１ａ，６１ｂに対して直交するように配置されている。第１支持板６１ａ，６１ｂおよび第２支持板６１ｃには、円盤状の補強リブ６１１が軸線方向に沿って所定の間隔をもって、この例では４箇所設けられている。
【００３８】
第１支持板６１ａ，６１ｂおよび第２支持板６１ｃは、円周方向の外接円が粘着テープロール２の内径とほぼ同じとなるように配置されている。すなわち、この例において、第１支持板６１ａ，６１ｂおよび第２支持板６１ｃは、その各辺の頂点を結ぶ外接円が粘着テープロール２の内径とほぼ同じとなるように配置されている。
【００３９】
この例において、第１支持板６１ａ，６１ｂはともに同一形状で、平行に形成されているが、外接円が粘着テープロール２の内径とほぼ同じとなるように配置されていれば、その数と形状は仕様に応じて任意であってよい。
【００４０】
端板６２ａ，６２ｂは、粘着テープロール２の内径とほぼ同径の外径を有する円盤体からなり、支持板６１ａ，６１ｂの端部を塞ぐように取り付けられている。２枚の端板６２ａ，６２ｂの内、一方の端板６２ａ（図３では左側）には、シャフト５の軸支部５１が差し込まれる軸受孔６２１が同軸的に設けられている。
【００４１】
第１支持板６１ａ，６１ｂのほぼ中央には、シャフト５の軸支部５１を軸受する軸受部６５が設けられている。軸受部６５は、第１支持板６１ａ，６１ｂとともに一体成形されており、内部に図示しない金属製の軸受部材が設けられている。軸受部６５に軸支部５１の先端が同軸的に差し込まれることにより、支持ローラ６は軸受部６５の軸線を中心に回動するようになっている。
【００４２】
一方の端板６２ａ（以下、第１端板６２ａとする）には、粘着テープロール２の軸線方向の一端２２側の抜け止め用の第１ストッパー６３が設けられている。第１ストッパー６３は、第１端板６２ａの外周縁から粘着テープロール２の側端面２２に向かって延設されたスリーブ部６３１と、同スリーブ部６３１の先端に一体的に設けられたフランジ部６３２とを備えている。第１ストッパー６３は、第１端板６２ａに樹脂で一体成形されている。
【００４３】
スリーブ部６３１は、粘着テープロール２の内周面に沿って延在する円筒状であって、粘着テープロール２の内径とほぼ同じ外径を備えている。フランジ部６３２は、粘着テープロール２の内径よりも大径な円盤体からなり、スリーブ部６３１とフランジ部６３２との段差面６３３が粘着テープロール２の端面に当接することにより、粘着テープロール２の軸線方向の移動が規制されるようになっている。
【００４４】
他方の端板６２ｂ（以下、第２端板６２ｂとする）には、粘着テープロール２の軸線方向の他端２３側の抜け止めを防止する第２ストッパー６４が設けられている。第２ストッパー６４は、第２端板６２ｂの外周面の一部から第２端板６２ｂとは離反する方向に延在する一対の弾性片６４１，６４１を備えている。
【００４５】
弾性片６４１，６４１は、第２端板６２ｂの中心を挟んで対称に配置された板体であって、先端が粘着テープロール２の他端２３まで延設されている。弾性片６４１，６４１は、その外接円が、粘着テープロール２の内径とほぼ同径となるような円弧状に形成されている。
【００４６】
各弾性片６４１の先端には、粘着テープロール２の他端２３を支持する係止爪６４２が設けられている。図３（ｂ）に示すように、係止爪６４２は、粘着テープロール２の内周面から他端２３に沿って外径側に延在する凸片であって、弾性片６４１と係止爪６４２の段差面６４３で粘着テープロール２の他端２３を受け止めることで、粘着テープロール２の軸線方向の抜けを防止できるようになっている。
【００４７】
係止爪６４２の先端側（図１では右側）には、粘着テープロール２を支持ローラ６に差し込む際に、その案内役となるテーパ面６４４が設けられている。テーパ面６４４は、係止爪６４２の先端から外径側に向かって傾斜された傾斜面であって、テーパ面６４４に沿って粘着テープロール２の巻芯２１が当接しながら移動することにより、各弾性片６４１が内側に向かって弾性変形し、粘着テープロール２がスムーズに案内される。
【００４８】
各弾性片６４１の先端の内径側には、係止爪６４２の係止状態をワンタッチで解除する第１解除手段としてのつまみ部７が設けられている。つまみ部７は、弾性片６４１の円周方向の両端から中心に向かってアーチ状に形成されており、中央に指を挿通するための挿通孔７１が設けられている。
【００４９】
各つまみ部７は、支持ローラ６の軸線方向の中心を挟んで互いに対称に形成されており、弾性片６４１に一体成形されている。この例において、つまみ部７はアーチ状に形成されているが、指Ｆが挿通可能な挿通孔７１を備えていれば、その他の形状も本発明に含まれる。
【００５０】
第２端板６２ｂにはさらに、各弾性片６４１，６４１を内側に弾性変形させた際の変形量を規制するための規制手段としての規制片８が設けられている。規制片８は、各弾性片６４１，６４１のつまみ部７，７の間に形成された突き当て板であって、各弾性片６４１，６４１と規制片８との間に所定の空隙Ｇをもって配置されている。
【００５１】
空隙Ｇは、つまみ部７と規制片６４１との間の間隔をａ、係止爪６４２の高さをｂとしたとき、少なくともａ≧ｂとなるように形成されていることが好ましい。すなわち、弾性片６４１と規制片８との間の間隔ａを、係止爪６４２の高さｂと同等もしくは大きく設定することにより、少なくとも係止爪のロックが解除可能な変形量を保つことができる。
【００５２】
これによれば、図４に示すように、つまみ部７を指でつまんで内径方向に変形された際に、つまみ部７の一部が規制片８の先端に当接することにより、弾性片６４１，６４１の移動量が規制されるため、弾性片６４１，６４１が根元で折れることが防止できる。
【００５３】
この例において、規制片８は、中心軸を通って各弾性片６４１，６４１の間に直交するように配置されている。規制片８は、１枚の板状片からなるが、規制片８は、上述した空隙Ｇがａ≧ｂの条件を満足するように形成されていれば、その他の変形例も本発明に含まれる。
【００５４】
第２端板６２ｂには、粘着テープロール２を支持ローラ６にスムーズに案内するためのガイドリブ９が規制片８に対して直交する方向に沿って設けられている。ガイドリブ９は、第２端板６２ｂの直径とほぼ同じ幅で、第２端板６２ｂからほぼ垂直に立設されている。ガイドリブ９の先端（図１では右端）の角部９１は、粘着テープロール２がスムーズに入りやすいように面取りされていることが好ましい。
【００５５】
以上説明したように、本発明は、内径が少なくとも４０ｍｍ以上、好ましくは７５ｍｍ以上の大型粘着テープロール２を専用に保持する支持ローラ６であって、支持ローラ６に保持された粘着テープロール６を取り外す際に、各弾性片６４１，６４１を内側に折り曲げたときに、各弾性片６４１，６４１が折れてしまわないように規制片８に突き当たるようになっている。
【００５６】
次に、図５〜図１０を参照して、本発明の支持ローラの第１〜第３の変形例について説明するが、上述した実施形態の支持ローラ６と同一および同一と見なされる箇所には、同じ参照符号を付し、その説明は省略する。
【００５７】
図５および図６を参照して、第１変形例に係る支持ローラ６Ａは、弾性片６４１，６４１の先端同士が連結板６６を介して互いに連結されている。連結板６６は、適度な可撓性を有する薄肉板からなり、弾性片６４１，６４１の先端に一体的に取り付けられている。
【００５８】
連結板６６の中央には、円盤状の操作板６６１が一体的に形成されている。操作板６６１は、連結板６６よりも剛性を有する円盤状に形成されている。操作板６６１には、図示しない「ＰＵＳＨ」などの文字が刻印されていることが好ましい。
【００５９】
連結板６６は、第２端板６２ｂから突設された規制片８と所定の空隙Ｇをもって対向的に配置されている。これによれば、図６（ｂ）に示すように、指で操作板６６１を第２端板６２ｂ方向に押圧することにより、連結板６６が第２端板６２ｂ側に引っ張られるとともに、各弾性片６４１，６４１が連結板６６を介して内側に引き込まれ、その結果、ワンタッチで粘着テープロール２を外すことができる。
【００６０】
その際、操作板６６１を強く押し込んでも、操作板６６１が規制片８の軸方向の先端８ａと当接するようになっているため、過度の変形によって連結板６６や弾性片６４１の破損を防止することができる。
【００６１】
次に、図７および図８を参照して、この第２変形例に係る支持ローラ６Ｂは、上記第１変形例と同様に、弾性片６４１，６４１の先端同士が連結板６６を介して互いに連結されており、その中央には、操作板６６２が設けられている。
【００６２】
この第２変形例において、操作板６６２は、連結板６６から軸線方向に沿って水平に突設された扁平な舌片からなり、操作板６６２を指で摘んで、手前側（支持ローラ６Ｂとは離反する方向）に引っ張ることで、連結板６６が変形するようになっている。
【００６３】
連結板６６には、操作板６６２を引っ張った際に、その引張量を規制するための、第２規制片６６３が設けられている。第２規制片６６３は、連結板６６の裏面（第２端板６２ｂと対向する面）から第２端板６２ｂに向けて垂直に突設された舌片であって、中央にガイド孔６６４が設けられている。
【００６４】
規制片８にも、中央にガイド孔８１が設けられており、ガイド孔６６４，８１同士が互いに相欠き継ぎで連結されることにより、連結板６６の引張量が規定位置以上にならないようになっている。
【００６５】
これによれば、図８（ｂ）に示すように、操作板６６２を指で把持して、支持ローラ６Ｂとは離反する方向にほぼ水平に引っ張ることによって、連結板６６が外側に引っ張られるのに伴い、各弾性片６４１，６４１が内側に倒れ込む。その結果、ワンタッチで粘着テープロール２を取り外すことができる。
【００６６】
次に、図９および図１０を参照して、この第３変形例に係る支持ローラ６Ｃは、上記第１および第２変形例と同様に、弾性片６４１，６４１の先端同士が連結板６６を介して互いに連結されている。
【００６７】
連結板６６には、連結板６６を波形状に屈曲させる屈曲板６６５と、指によって把持される操作板６６６とを備えている。屈曲板６６５は、連結板６６の中央に配置され、連結板よりも剛性が高い板体であって、連結板６６とほぼ同じ幅の矩形状に形成されている。
【００６８】
操作板６６６は、屈曲板６６５の表面（図１０（ａ）では右側面）からほぼ垂直に立設され、さらに９０°上方に向けて折り曲げられたＬ字状を呈し、その先端は指で把持しやすいように円盤状に形成されている。
【００６９】
これによれば、図１０（ｂ）に示すように、操作板６６６を手で把持して斜め下に引っ張ることにより、屈曲板６６５が軸線方向に沿って倒伏するため、その両端に連結された連結板６６が内側に引き込まれ、各弾性片６４１，６４１の先端が内側に引き込まれる。
【００７０】
その際、屈曲板６６５の一端が（この例では下端）が、規制片８の先端８ａに当接するようになっているため、連結板６６と弾性片６４１，６４１が規定位置以上変形して、破損することを防止できる。
【００７１】
この例において、操作板６６６は、Ｌ字状に形成されているが、屈曲板６６５を軸線方向に向けて倒伏できる構造であれば、それ以外の構造であってもよい。
【符号の説明】
【００７２】
１  粘着式クリーナー
２  粘着テープロール
３  清掃具本体
４  グリップ部
５  シャフト部
６  支持ローラ
６１ａ，６１ｂ  第１支持板
６１ｃ  第２支持板
６２ａ  第１端板
６２ｂ  第２端板
６３  第１ストッパー
６４  第２ストッパー
６４１  弾性片
６４２  係止片
６６  連結片
７  つまみ部
８  規制片
９  ガイドリブ
【図１】
2013158378.tif 000003
【図２】
2013158378.tif 000004
【図３】
2013158378.tif 000005
【図４】
2013158378.tif 000006
【図５】
2013158378.tif 000007
【図６】
2013158378.tif 000008
【図７】
2013158378.tif 000009
【図８】
2013158378.tif 000010
【図９】
2013158378.tif 000011
【図１０】
2013158378.tif 000012